(57)【要約】【課題】柔軟性素材であっても、押し型を用いて当該押し型に対応した形状に成形することを可能にする。【解決手段】押し型を介して押圧することにより当該押し型に対応した形状を維持することができる剛性を有する芯材（１０）を押し型で押圧し、芯材（１０）を当該押し型に対応した形状に成形する。この後、芯材（１０）の一方または両方の面に、押し型を介して押圧しても当該押し型に対応した形状を維持することができる剛性を有していない少なくとも一つのシート材（１１，１２）を張り付ける。【選択図】図１
2015080864.tif 000002
【特許請求の範囲】
【請求項１】
押し型を介して押圧することにより当該押し型に対応した形状を維持することができる剛性を有する芯材を押し型で押圧し、前記芯材を当該押し型に対応した形状に成形する過程と、
前記芯材の少なくとも何れか一方の面に、押し型を介して押圧しても当該押し型に対応した形状を維持することができる剛性を有していない少なくとも一つのシート材を張り付ける過程と、
を備える成形方法。
【請求項２】
押し型を介して押圧することにより当該押し型に対応した形状を維持することができる剛性を有する芯材の少なくとも何れか一方の面に、押し型を介して押圧しても当該押し型に対応した形状を維持することができる剛性を有していない少なくとも一つのシート材を張り付け、複数層構造体を形成する過程と、
前記複数層構造体を押し型で押圧し、前記複数層構造のシート材を当該押し型に対応した形状に成形する過程と、
を備える成形方法。
【発明の詳細な説明】
【技術分野】
【０００１】
本発明は、押し型を用いて、剛性の小さい素材（合成繊維の生地など）を所定の形状に成形することを可能にする成形方法に関する。
【背景技術】
【０００２】
例えば、皮革のように、押し型で押圧することにより当該押し型に対応した形状を維持することができる剛性を有する素材であれば、押し型を介して押圧することにより、その素材を押し型に対応した形状に成形することが可能である。このため、箱、袋、鞄、ホルダー、入れ物などの収容性容器をつくる場合には、皮革が原材料として使用されることが多い。
【０００３】
これに対して、皮革ほどの剛性を有していない素材、例えば、ビニールシートやナイロンシートなどの合成繊維製素材は押し型を介して押圧成形しても、押し型に対応した形状を維持することはできない。
【０００４】
このため、押し型を用いた押圧成形においては、原料となる素材の範囲が著しく限定されるという問題点があった。
【０００５】
例えば、特許第４６２３２５０号公報には、補強材により補強されたバッグ用芯材が開示されている。
【０００６】
この芯材は、四角形の内側を打ち抜いて枠形とした柔軟性を有する基体と、基体の各辺の表面に固定された弾力性部材と、からなる。
【０００７】
弾力性部材を基体の表面に固定することにより、基体を折れにくくすることができる。
【先行技術文献】
【特許文献】
【０００８】
【特許文献１】特許第４６２３２５０号公報
【発明の開示】
【発明が解決しようとする課題】
【０００９】
しかしながら、上記公報に記載された方法は押し型を用いて行う押圧成形に適用できるものではなく、依然として、押し型を用いて柔軟性素材を押圧成形することは不可能であった。
【００１０】
本発明はこのような従来の問題点に鑑みてなされたものであり、柔軟性素材であっても、押し型を用いて当該押し型に対応した形状に成形することを可能にする成形方法を提供することを目的とする。
【課題を解決するための手段】
【００１１】
上記の目的を達成するため、本発明は、押し型を介して押圧することにより当該押し型に対応した形状を維持することができる剛性を有する芯材を押し型で押圧し、前記芯材を当該押し型に対応した形状に成形する過程と、前記芯材の少なくとも何れか一方の面に、押し型を介して押圧しても当該押し型に対応した形状を維持することができる剛性を有していない少なくとも一つのシート材を張り付ける過程と、を備える成形方法を提供する。
【００１２】
さらに、本発明は、押し型を介して押圧することにより当該押し型に対応した形状を維持することができる剛性を有する芯材の少なくとも何れか一方の面に、押し型を介して押圧しても当該押し型に対応した形状を維持することができる剛性を有していない少なくとも一つのシート材を張り付け、複数層構造体を形成する過程と、前記複数層構造体を押し型で押圧し、前記複数層構造のシート材を当該押し型に対応した形状に成形する過程と、を備える成形方法を提供する。
【発明の効果】
【００１３】
本発明に係る成形方法によれば、押し型を介して行う押圧成形に適した剛性を有する芯材によって、最終製品においても、押し型に対応した形状が半永久的に維持される。このため、押し型を介して行う押圧成形に適した剛性を有していない柔軟性素材をも使用することが可能になる。
【００１４】
特に、従来、皮革を用いて押し型による押圧成形を行う場合、皮革の表面に複雑な模様を付けることは極めて困難であったが、本発明に係る成形方法によれば、シート材に予め模様を付けておくことが可能であるため（例えば、プリントにより）、皮革の表面には付けにくい模様であっても、本発明に係る成形方向における最終製品の表面には容易に付けることが可能である。
【００１５】
また、高価な皮革に代えて、より安価な芯材及びシート材を用いることが可能になるので、最終製品の製造コストを下げることが可能である。
【図面の簡単な説明】
【００１６】
【図１】本発明の第一の実施形態に係る成形方法の各過程を示す概略図である。
【図２】本発明の第二の実施形態に係る成形方法の各過程を示す概略図である。
【発明を実施するための最良の形態】
【００１７】
（第一の実施形態）
図１は、本発明の第一の実施形態に係る成形方法の各過程を示す概略図である。
【００１８】
先ず、図１（Ａ）に示すように、押し型を介して押圧することにより当該押し型に対応した形状を維持することができる剛性を有するシート状の芯材１０を用意する。
【００１９】
このような芯材１０としては、例えば、厚紙その他の硬質紙、プラスチックその他の樹脂、アルミニウムその他の金属、メラミン樹脂やフェノール樹脂等の含浸紙などを用いることができる。
【００２０】
次いで、図１（Ｂ）に示すように、押し型（図示せず）を介して芯材１０を押圧し、芯材１０を当該押し型に対応した形状に成形する。
【００２１】
芯材１０は上記の剛性を有しているため、押し型に対応した形状に維持される。
【００２２】
次いで、図１（Ｃ）に示すように、芯材１０の表面にシート材１１を張り付ける。
【００２３】
あるいは、図１（Ｄ）に示すように、芯材１０の表面にシート材１１を張り付けるとともに、芯材１０の裏面にシート材１２を張り付ける。
【００２４】
シート材１１、１２は、押し型を介して押圧しても当該押し型に対応した形状を維持することができる剛性を有していない素材からなるものである。シート材１１、１２としては、例えば、ビニールシートやナイロンシートなどの合成繊維製シート、人工皮革、マイクロファイバーを用いることができる。
【００２５】
芯材１０に張り付けるシート材１１、１２の枚数は１以上の任意の数を選択することができる。
【００２６】
以上の過程により、芯材１０とシート材１１、１２とからなる最終製品が完成される。
【００２７】
最終製品としては、箱、袋、鞄、ホルダー、入れ物などの収容性容器の他に、サンダルなどの履物、アクセサリーその他の装飾品などがある。
【００２８】
以上のように、本実施形態に係る成形方法によれば、押し型を介して行う押圧成形に適した剛性を有する芯材１０によって、押し型に対応した形状が最終製品において半永久的に維持されるため、押し型を介して行う押圧成形に適した剛性を有していない柔軟性素材をも使用することが可能になる。
【００２９】
特に、従来、皮革を用いて押し型による押圧成形を行う場合、皮革の表面に複雑な模様を付けることは極めて困難であったが、本実施形態に係る成形方法によれば、シート材１１、１２に予め模様を付けておくことが可能であるため（例えば、プリントにより）、皮革の表面には付けにくい模様であっても、本実施形態における最終製品の表面には容易に付けることが可能である。
【００３０】
また、高価な皮革に代えて、より安価な芯材１０及びシート材１１、１２を用いることができるので、最終製品の製造コストを下げることが可能である。
【００３１】
（第二の実施形態）
図２は、本発明の第二の実施形態に係る成形方法の各過程を示す概略図である。
【００３２】
先ず、図２（Ａ）に示すように、押し型を介して押圧することにより当該押し型に対応した形状を維持することができる剛性を有するシート状の芯材１０を用意する。
【００３３】
次いで、図２（Ｂ）に示すように、芯材１０の表面にシート材１１を張り付ける。あるいは、芯材１０の表面にシート材１１を張り付けるとともに、芯材１０の裏面にシート材１２を張り付ける。これにより、芯材１０とシート材１１、１２とからなる複数層構造体１５が形成される。
【００３４】
次いで、図２（Ｃ）に示すように、押し型（図示せず）を介して複数層構造体１５を押圧し、複数層構造体１５を当該押し型に対応した形状に成形する。
【００３５】
複数層構造体１５の一構成要素である芯材１０は上記の剛性を有しているため、複数層構造体１５は押し型に対応した形状に維持される。
【００３６】
以上の過程により、第一の実施形態の場合と同様の最終製品が完成される。
【００３７】
本実施形態に係る成形方法によっても、第一の実施形態に係る成形方法と同様の効果を得ることができる。
【符号の説明】
【００３８】
１０  芯材
１１  シート材
１２  シート材
１５  複数層構造体
【図１】
2015080864.tif 000003
【図２】
2015080864.tif 000004